(57)【要約】【課題】面形状に配置されたフィラメントを有し、均一性のあるきれいな照射面が得られるフィラメントランプおよびスポットライトを提供する。【解決手段】複数のフィラメント１３を２列の千鳥状に配置したのでフィラメント１３の高さを小さくすることができ、発光部をコンパクトにすることができる。また、フィラメント１３を、バルブ１１の断面中心ＣＰを通る光軸ＢＬに対して線対称となるように配置したので、発光部の中心がバルブ１１の中心ＣＰと一致することになる。これにより、均一性の高いきれいな照射面を提供することができる。【選択図】図１
2009104931.tif 000002
【特許請求の範囲】
【請求項１】
バルブ内に複数のフィラメントが面形状に配置されたフィラメントランプであって、
前記フィラメントが、前記バルブの断面中心を通る光軸に対して線対称となるように千鳥状に配置されたフィラメントランプ。
【請求項２】
前記フィラメントが、２列で千鳥状に配置された請求項１に記載のフィラメントランプ。
【請求項３】
光源の前方にレンズを有し、光源の方向に反射鏡を有するスポットライトであって、
請求項１記載のフィラメントランプを前記光源として、前記レンズおよび前記反射鏡の光軸上に前記複数のフィラメントの中心を配置したスポットライト。
【発明の詳細な説明】
【技術分野】
【０００１】
本発明は、バルブ内に複数のフィラメントを有し、スポットライトに適するフィラメントランプに関するものである。
【背景技術】
【０００２】
従来より、舞台・スタジオ用スポットライトに用いる光源として、フィラメントランプ面とを有するフィラメントランプが用いられている（例えば特許文献１参照）。
図３に示すように、特許文献1に記載の白熱電球１００においては、バルブ１０１の内部に複数のフィラメント１０２を有しており、バルブ１０１の中心に設けられているサポータ１０３を中心とする円周上に等間隔で設けられ、上下のガラス片１０４ａ、１０４ｂによって固定されている。
【特許文献１】特開平９−１４７８１０号公報（第１図）
【発明の開示】
【発明が解決しようとする課題】
【０００３】
ところで、図４に示すように、面形状にフィラメント１１１が配置されたフィラメントランプ１１０では、ランプ配光の光軸はフィラメントランプ１１１の中心に位置するが、フィラメント１１１の高さが大きくなるという特徴がある。
一方、図５に示すように、複数のフィラメント１２１を２列に配置したフィラメントランプ１２０では、ランプ配光の光軸がフィラメントランプ１２０の中心に対して若干ずれるが、図４に示した同ワット数のフィラメントランプ１１０に比してフィラメント１２１の高さを小さくできるという特徴がある。
【０００４】
また、図６に示すように、前述したようなフィラメントランプ１１０、１２０を用いるスポットライト１３０においては、フィラメントランプ１３１を挟んで前方にレンズ１３２を有し、後方に反射鏡１３３を有しており、レンズ１３２、フィラメントランプ１３１、反射鏡１３３の光軸を合わせた構造となっている。このため、フィラメントランプ１３１は、点光源のように小さく光軸がずれないものが望ましく、前述したフィラメントランプ１１０、１２０のような面形状フィラメントランプを用いた場合には、光軸がずれて均一性のあるきれいな照射面が得られないという問題がある。
【０００５】
本発明は、従来の問題を解決するためになされたもので、面形状に配置されたフィラメントを有し、均一性のあるきれいな照射面が得られるフィラメントランプおよびスポットライトを提供することを目的とする。
【課題を解決するための手段】
【０００６】
本発明のフィラメントランプは、バルブ内に複数のフィラメントが面形状に配置されたフィラメントランプであって、前記フィラメントが、前記バルブの断面中心を通る光軸に対して線対称となるように２列の千鳥状に配置された構成を有している。
【０００７】
この構成により、複数のフィラメントを千鳥状に配置したのでフィラメントの高さを小さくすることができ、発光部をコンパクトにすることができる。また、フィラメントを、バルブの断面中心を通る光軸に対して線対称となるように配置したので、発光部の中心がバルブの中心と一致することになる。これにより、均一性の高いきれいな照射面を提供することができる。
【０００８】
また、本発明のフィラメントランプは、前記フィラメントが、２列で千鳥状に配置された構成を有している。
【０００９】
この構成により、複数のフィラメントを２列の千鳥状に配置したのでフィラメントの高さを小さくすることができ、発光部をコンパクトにすることができる。また、フィラメントを、バルブの断面中心を通る光軸に対して線対称となるように配置したので、発光部の中心がバルブの中心と一致することになる。これにより、均一性の高いきれいな照射面を提供することができる。
【００１０】
また、本発明のスポットライトは、光源の前方にレンズを有し、光源の方向に反射鏡を有するスポットライトであって、前述したフィラメントランプを前記光源として、前記レンズおよび前記反射鏡の光軸上に前記複数のフィラメントの中心を配置した構成を有している。
【００１１】
この構成により、発光部がコンパクトでかつバルブの中心に位置するフィラメントランプの中心を、レンズおよび反射鏡の光軸上に配置したので、均一性の高いきれいな照射面を提供することができる。
【発明の効果】
【００１２】
本発明は、複数のフィラメントを面形状の千鳥状に配置したのでフィラメントの高さを小さくすることができ、発光部をコンパクトにすることができる。また、フィラメントを、バルブの断面中心を通る光軸に対して線対称となるように配置したので、発光部の中心がバルブの中心と一致することになる。これにより、均一性の高いきれいな照射面を提供することができるという効果を有するフィラメントランプおよびスポットライトを提供することができるものである。
【発明を実施するための最良の形態】
【００１３】
以下、本発明にかかるフィラメントランプについて、図面を用いて説明する。
図１（Ａ）はフィラメントの配置を示すフィラメントランプ内部の平面図、図１（Ｂ）はフィラメントの配置を示すフィラメントランプ内部の正面図である。
【００１４】
図１に示すように、本発明にかかるフィラメントランプ１０は、下端面が開口し、上端面が閉じられた有底円筒形状をした透明ガラス製のバルブ１１を有しており、バルブ１１の下端面にはベース１２が取り付けられて密閉されている。そして、バルブ１１の内部には、複数のフィラメント１３が、上下２列の面形状に配置されるとともに、バルブ１１の断面中心ＣＰを通る光軸に対して線対称となるように千鳥状に配置されている。なお、ここでは、例えばバルブ１１の内部に封入する窒素やアルゴン等の不活性ガスに、ハロゲン元素（主にヨウ素、臭素などが用いられる）を微量導入したハロゲンランプを対象とすることができる。
【００１５】
バルブ１１は円形断面をしており、光軸は円形断面の中心ＣＰを通っている。複数のフィラメント１３は、図１（Ａ）において上下２列の面形状で設けられており、各列を形成するフィラメント１３は、各々光軸から等距離で左右に配置されることになる。また、上下２列で千鳥状に配置されるため、上列のフィラメント１３は下列のフィラメント間に配置されることになる。なお、上下２列でフィラメント１３の配置長さが異なるが、上下２列の中間が中心ＣＰに位置するようにする。
【００１６】
従って、複数のフィラメント１３を２列の千鳥状に配置したのでフィラメント１３の高さＨを小さくすることができ、発光部をコンパクトにすることができる。また、フィラメント１３を、バルブ１１の断面中心ＣＰを通る光軸に対して線対称となるように配置したので、発光部の中心がバルブ１１の中心ＣＰと一致することになる。これにより、均一性の高いきれいな照射面を提供することができる。
【００１７】
次に、前述したフィラメントランプ１０を用いた本発明のスポットライトについて、図面を用いて説明する。
図２は本発明にかかるスポットライトを示す構成図である。なお、前述したフィラメントランプ１０と共通する部位には同じ符号を付して重複する説明を省略することとする。
【００１８】
図２に示すように、このスポットライト２０には、光源として前述したフィラメントランプ１０が用いられており、フィラメントランプ１０を挟んで前方にレンズ２１を有し、後方に反射鏡２２を有している。そして、レンズ２１、フィラメントランプ１０、反射鏡２２の光軸を合わせた構造となっている。
【００１９】
前述したように、フィラメントランプ１０におけるフィラメント１３の高さＨを小さくして、発光部をコンパクトにすることができので、フィラメントランプ１０の光軸をレンズ２１および反射鏡２２の光軸と一致させることができ、均一性の高いきれいな照射面を提供することができる。
【００２０】
なお、本発明のフィラメントランプは、前述した実施形態に限定されるものでなく、適宜な変形，改良等が可能である。
例えば、前述した実施形態においては、複数のフィラメント１３を２列の千鳥状に配置した場合を例示したが、本発明のフィラメントランプおよびスポットライトは、フィラメントを３列以上の千鳥状に配置した場合にも適用可能である。この場合には、３列以上に配置されたフィラメント群の中心がバルブ１１の中心ＣＰにくるように配置する。
また、前述した実施形態においては、ハロゲンランプを例示したが、これに限るものではない。
【産業上の利用可能性】
【００２１】
以上のように、本発明にかかるフィラメントランプは、複数のフィラメントを面形状の千鳥状に配置したのでフィラメントの高さを小さくすることができ、発光部をコンパクトにすることができる。また、フィラメントを、バルブの断面中心を通る光軸に対して線対称となるように配置したので、発光部の中心がバルブの中心と一致することになる。これにより、均一性の高いきれいな照射面を提供することができるという効果を有し、バルブ内に複数のフィラメントを有し、スポットライトに適するフィラメントランプ等として有用である。
【図面の簡単な説明】
【００２２】
【図１】（Ａ）はフィラメントランプの内部を示す平面図、（Ｂ）はフィラメントランプの内部を示す正面図
【図２】本発明にかかるスポットライトを示す構成図
【図３】従来のフィラメントランプの断面図
【図４】（Ａ）は従来の直線状にフィラメントを配置したフィラメントランプの内部を示す平面図、（Ｂ）はフィラメントランプの内部を示す正面図
【図５】（Ａ）は従来の千鳥状にフィラメントを配置したフィラメントランプの内部を示す平面図、（Ｂ）はフィラメントランプの内部を示す正面図
【図６】従来のスポットライトを示す構成図
【符号の説明】
【００２３】
１０  フィラメントランプ（光源）
１１  バルブ
１３  フィラメント
２０  スポットライト
２１  レンズ
２２  反射鏡
ＢＬ  光軸
ＣＰ  中心
【図１】
2009104931.tif 000003
【図２】
2009104931.tif 000004
【図３】
2009104931.tif 000005
【図４】
2009104931.tif 000006
【図５】
2009104931.tif 000007
【図６】
2009104931.tif 000008